(57)【要約】【課題】この発明の課題は、柄の上部に設けた貫通孔を利用しなくても、刷毛に取り付けることのできる刷毛用フックを提供することである。【解決手段】上記課題を解決するために、この発明は、本体１０と、この本体１０に設けた引っかけ部１１と、本体１０に形成した一対の支持面１７，１８とを備え、上記本体１０を、刷毛の柄２１に形成されたテーパ状の隙間２５に挿入するとともに、上記一対の支持面１７，１８を、柄２１の内側に押し付けて、柄２１に本体１０を固定する構成にしたことを特徴とする。【選択図】　図１
2004065816.tif 000002
【特許請求の範囲】
【請求項１】
本体と、この本体に設けた引っかけ部と、本体に形成した一対の支持面とを備え、上記本体を、刷毛の柄に形成されたテーパ状の隙間に挿入するとともに、上記一対の支持面を、柄の内側に押し付けて、柄に本体を固定する構成にしたことを特徴とする刷毛用フック。
【請求項２】
支持面に弾性力を付与する構成にしたことを特徴とする請求項１記載の刷毛用フック。
【請求項３】
支持面に凸部を形成したことを特徴とする請求項１または２記載の刷毛用フック。
【請求項４】
本体には、支持面と直交する一対の鍔部を設けるとともに、これら鍔部の間隔を、調節可能にしたことを特徴とする請求項１〜３のいずれか１に記載の刷毛用フック。
【請求項５】
本体と、この本体に設けた引っかけ部と、本体に設けた一対の挟み部とを備え、上記挟み部を刷毛の柄に挟みつけて、柄に本体を固定することを特徴とする刷毛用フック。
【請求項６】
一対の挟み部の内側に、凸部を形成したことを特徴とする請求項５記載の刷毛用フック。
【発明の詳細な説明】
【０００１】
【発明の属する技術分野】
この発明は、刷毛を引っかけるときに用いる刷毛用フックに関する。
【０００２】
【従来の技術】
刷毛用フックとして、特開平１０−１２７３４８号公報に記載されたものが従来から知られている。
この従来の刷毛用フックは、図１０に示すように、板状の本体１の上部を折り曲げて、引っかけ部２を形成するとともに、この引っかけ部２の折り曲げた方向と反対側に、一対の挟み部３，３を設けている。そして、上記挟み部３，３の先端間を、開口部４としている。
このようにした従来の刷毛用フックは、図１１に示すように、その開口部４に刷毛の柄ａを挿入して、この柄ａの上部に設けた貫通孔５に挟み部３，３の先端を挿入する。このようにすれば、柄ａの上部に本体１が固定される。したがって、図１２に示すように、その引っかけ部２を利用すれば、保存容器の吊り下げ棒６に刷毛を引っかけることができる。
【０００３】
【発明が解決しようとする課題】
上記従来の刷毛用フックは、柄ａの上部の貫通孔５を利用して固定する構造になっているため、例えば図１３に示すように、塗料用容器Ｙの縁４０に刷毛を引っかけた場合に、刷毛の毛７の先端部分が容器の底８についてしまうことがある。このように毛７の先端部分が容器の底７についてしまうと、毛７が開いてしまったり、毛７に変な癖がついてしまうという問題があった。
この発明の目的は、柄の上部の貫通孔を利用しなくても、刷毛に取り付けることのできる刷毛用フックを提供することである。
【０００４】
【課題を解決するための手段】
第１の発明は、本体と、この本体に設けた引っかけ部と、本体に形成した一対の支持面とを備え、上記本体を、刷毛の柄に形成されたテーパ状の隙間に挿入するとともに、上記一対の支持面を、柄の内側に押し付けて、柄に本体を固定する構成にしたことを特徴とする。
【０００５】
第２の発明は、上記第１の発明において、支持面に弾性力を付与する構成にしたことを特徴とする。
【０００６】
第３の発明は、上記第１又は第２の発明において、支持面に凸部を形成したことを特徴とする。
【０００７】
第４の発明は、上記第１〜第３の発明において、本体には、支持面と直交する一対の鍔部を設けるとともに、これら鍔部の間隔を、調節可能にしたことを特徴とする。
【０００８】
第５の発明は、本体と、この本体に設けた引っかけ部と、本体に設けた一対の挟み部とを備え、上記挟み部を刷毛の柄に挟みつけて、柄に本体を固定することを特徴とする。
【０００９】
第６の発明は、上記第５の発明において、一対の挟み部の内側に、凸部を形成したことを特徴とする。
【００１０】
【発明の実施の形態】
図１〜図６にこの発明の第１実施形態を示す。
図１に示すように、樹脂製の本体１０には、引っかけ部１１を設けている。この引っかけ部１１は、図２に示すように、本体１０の一方の側面１２に一体成形しているが、別部材からなる引っかけ部１１を後から側面１２に固定するようにしてもよい。
また、図３に示すように、上記本体１０の一方の側面１２には鍔部１９を形成し、他方の側面１３には鍔部２０を形成している。
【００１１】
図４は、上記本体１０を上面１４側から見た平面図である。
図示するように、本体１０の上面１４は、一方の側面１２側の幅Ａよりも、他方の側面１３側の幅Ｃを大きくしている。また、この本体１０は、上面１４の幅Ａよりも下面の幅Ｂを大きくし、上面１４の幅Ｃよりも下面の幅Ｄを大きくしている。
このようにした本体１０には、一対の支持面１７，１８が形成される。これら支持面１７，１８は、本体１０の上面１４側から下面１５側にかけて広がる方向に傾斜するとともに、一方の側面１２側から他方の側面１３側に広がる方向にも傾斜している。
【００１２】
上記傾斜面１７，１８を備えた本体１０は、図５に示すように、刷毛Ｆの柄２１の部分に取り付ける。
上記刷毛Ｆは、柄２１の部分と毛２２の部分とからなり、柄２１の部分は２枚の板部材２１ａ，２１ｂによって構成されている。これら２枚の板部材２１ａ，２１ｂは、その上部を合わせた状態で、金属製の筒部材２３によって固定されている。そして、これら板部材２１ａ，２１ｂの下方の部分に、毛２２を挟み込むとともに、この毛２２の部分を針金２４によって固定している。
なお、上記筒部材２３によって、柄２１の上部の貫通孔を構成している。
【００１３】
上記のように、２枚の板部材２１ａ，２１ｂによって構成された柄２１には、隙間２５が形成されている。この隙間２５は、毛２２の方に向かってテーパー状に広がっている。また、この隙間２５は、図中左側の開口部の方が、図示されていない右側の開口部よりも広がっている。つまり、この柄２１に形成された隙間２５は、上記本体１０の支持面１７，１８の傾斜に対応した形状になっている。
言い換えれば、本体１０の支持面１７，１８の傾斜を、刷毛Ｆの柄２１の隙間２５の傾斜に対応させている。
【００１４】
上記柄２２の隙間２５には、本体１０を挿入するが、その際、隙間２５の幅の大きい方、すなわち毛２２付近の図面左側の開口部から本体１０を挿入する。隙間２５に本体１０を挿入したら、この本体１０を図中上方すなわち筒部材２３の方向に向かってスライドさせる。このように本体１０をスライドさせると、隙間２５の間隔が狭くなることによって、この本体１０の支持面１７，１８が、一対の板部材２１ａ，２１ｂによって挟みつけられる。そして、支持面１７，１８を一対の板部材２１ａ、２１ｂに挟みつけることによって、柄２１に対して本体１０が固定される。また、この本体１０は、一対の鍔部１９，２０で柄２１を挟みつけることによって、そのガタツキを規制するようにしている。
【００１５】
上記のようにして柄２１に本体１０をしっかり固定すると、図６に示すように、柄２１の図面右側から引っかけ部１１が突出する。そして、この引っかけ部１１を塗料容器Ｙの縁４０に引っかけて、刷毛Ｆを塗料用容器Ｙに吊り下げる。上記引っかけ部１１は、柄２１のほぼ中間部分にあるため、上記のように吊り下げても、毛２２の部分が塗料容器Ｙの底４１にあたらない。したがって、毛２２が開いたり変な癖がついたりすることを防止することができる。
【００１６】
また、この第１実施形態では、柄２１に形成したテーパ状の隙間２５を利用して、本体１０を固定する構成にしているので、本体１０の幅Ａ〜Ｄを変えることによって、柄２２に対する本体１０の固定位置を変えることもできる。例えば、本体１０の幅Ａ〜Ｄを大きくすれば、この本体１０が柄２１の下方で固定される。また、本体１０の幅Ａ〜Ｄを小さくすれば、本体１０が柄２１の上方で固定される。
以上のように、この第１実施形態によれば、柄２１に形成された隙間２５を利用して、本体１０を柄２１に固定する構成にしたので、貫通孔を利用していた前記従来例に比べて、柄２１に対する引っかけ部１１の位置を自由に設定することができる。
【００１７】
一方、柄２１から本体１０を外す場合には、本体１０を毛２２側にスライドさせる。本体１０を毛２２側に移動させれば、支持面１７，１８が板部材２１ａ、２１ｂの内側から離れるので、本体１０を柄２１の隙間２５から外すことができる。つまり、この第１実施形態によれば、本体１０をスライドさせるだけで、柄２１に対して本体１０を簡単に着脱することができる。
【００１８】
図７，８は、この発明の第２実施形態を示したものである。
図７に示すように、弾性を有する板部材３０を湾曲させるとともに、この湾曲させた板部材３０に、図８に示すように筒状の本体３１を固定している。この筒状の本体３１の一端には、鍔部３２を固定するとともに、この鍔部３２に引っかけ部３３を設けている。
【００１９】
また、上記本体３１には、ロッド３４を摺動自在に挿入するとともに、このロッド３４の他端に円盤状の鍔部３５を固定している。そして、ロッド３４ともに鍔部３５を移動させることによって、この鍔部３５と上記鍔部３２との間隔を調節できるようにしている。そして、このように両鍔部３２，３５の間隔を調節することによって、幅の異なる柄に対応できるようにしている。
なお、上記板部材３０の表面には、複数の凸部３６を設けている。そして、これら凸部３６を設けた面を、支持面３７，３８としている。
【００２０】
上記第２実施形態によれば、板部材３０を柄２１の隙間２５に挿入して（図５参照）、それをスライドさせると、板部材３０が一対の板部材２１ａ，２１ｂによって挟みつけられる。このように板部材３０が挟みつけられると、その弾性によって板部材３０がたわむ。このように板部材３０が撓むと、その弾性力によって支持面３７，３８が柄２１の内側に押し付けられる。そして、この支持面３７，３８の表面に形成した凸部３８６、板部材２１ａ，２１ｂの内側に食い込ませることで、柄２１に対して本体３１を固定する。また、円盤状の鍔部３５の位置を調節することによって、この鍔部３５と他方の鍔部３２との間隔を柄２１の幅に合わせるようにしている。このようにすることによって、本体３１のがたつきを防止する。なお、このような鍔部の調節機能を、上記第１実施形態に適用してもよい。
【００２１】
上記のようにして、柄２１に本体３１を固定すれば、本体３１に設けた引っかけ部３３を利用して、刷毛Ｆを塗料用容器Ｙの縁４１などにひっかけることができる。
また、板部材３０の両端をつまんでその間隔を狭くすれば、凸部３６が柄２１の内側から抜けるので、本体３０を簡単に取り外すことができる。
なお、この第２実施形態の凸部３６を、上記第１実施形態の支持面１７，１８に形成してもよい。
【００２２】
図９に示す第３実施形態は、本体４０に引っかけ部４１と一対の挟み部４２，４３とを備えている。上記一対の挟み部４２，４３は、弾性を有し、その弾性力によって柄２１の両側を挟みつけるようにしている。
この第３実施形態によれば、挟み部４２と挟み部４３とによって、柄２１の中間部分に本体４０を固定することができる。したがって、この第４実施形態によっても、塗装容器の底に毛がつかないようにして、刷毛を容器の縁に引っかけることができる。
なお、上記挟み部４２，４３の内側に複数の凸部を形成し、これら凸部を柄２１に食い込ませるようにしてもよい。
【００２３】
【発明の効果】
第１の発明によれば、一対の支持面を柄の隙間の内側に押し付けて、本体を柄に固定する構成にしたので、柄の上部の貫通孔を利用しなくても、刷毛に本体を取り付けることができる。
したがって、例えば塗料容器の縁に刷毛を引っかけた状態で、毛が容器の底につかないようにすることができる。
【００２４】
第２の発明によれば、支持面に弾性力を付与する構成にしたので、柄に本体をしっかり固定することができる。
第３の発明によれば、支持面に形成した凸部を、柄に食い込ませることによって、柄に本体をしっかり固定することができる。
【００２５】
第４の発明によれば、本体には、支持面と直交する一対の鍔部を設けるとともに、これら鍔部の間隔を、調節可能にしたので、幅の異なる柄にも対応することができる。
第５の発明によれば、一対の挟み部を刷毛の柄に挟みつけて、本体を柄に固定する構成にしたので、柄の上部の貫通孔を利用しなくても、刷毛に本体を取り付けることができる。
したがって、例えば塗料容器の縁に刷毛を引っかけた状態で、毛が容器の底につかないようにすることができる。
第６の発明によれば、一対の挟み部の内側に形成した凸部を柄に食い込ませることにより、柄に本体をしっかり固定することができる。
【図面の簡単な説明】
【図１】第１実施形態の斜視図である。
【図２】第１実施形態の斜視図である。
【図３】第１実施形態の正面図である。
【図４】本体１０を上面１４側からみた平面図である。
【図５】取り付けた状態を示す斜視図である。
【図６】使用状態を示す説明図である。
【図７】第２実施形態の斜視図である。
【図８】第２実施形態の正面図である。
【図９】第３実施形態の斜視図である。
【図１０】従来例の斜視図である。
【図１１】装着状態を示す説明図である。
【図１２】使用状態を示す説明図である。
【図１３】他の使用状態を示す説明図である。
【符号の説明】
１０，３１，４０　本体
１１，３３，４１　引っかけ部
１７，１８，３７，３８　支持面
２１　柄
２５　柄の隙間
３６　凸部
１９，２０，３２，３５　鍔部
４２，４３　挟み部
【図１】
2004065816.tif 000003
【図２】
2004065816.tif 000004
【図３】
2004065816.tif 000005
【図４】
2004065816.tif 000006
【図５】
2004065816.tif 000007
【図６】
2004065816.tif 000008
【図７】
2004065816.tif 000009
【図８】
2004065816.tif 000010
【図９】
2004065816.tif 000011
【図１０】
2004065816.tif 000012
【図１１】
2004065816.tif 000013
【図１２】
2004065816.tif 000014
【図１３】
2004065816.tif 000015